(57)【要約】【課題】埋立区域２の上方部に設置した水平移動コンベア１２及び垂直移動コンベア１３によって、廃棄物をほぼ連続状態で能率良く移送させながら所定の埋立場所に投棄すると共に、埋立区域の底部では転圧・均し作業を行う。【解決手段】埋立区域２の上方部に設置した水平案内部材９Ａに沿って水平移動可能な水平移動コンベア１２によって、所望の埋立区域の上方部まで連続状態で移送した廃棄物を、水平案内部材９Ａの下段側に設置した水平案内部材９Ｂに沿って水平移動可能で且つ、終端側の高さ位置を可変できる垂直移動コンベア１３の始端側に受け渡し、垂直移動コンベア１３の終端側から所望の埋立区域に廃棄物を投棄する廃棄物の埋立方法。【選択図】　　図１
2004066131.tif 000002
【特許請求の範囲】
【請求項１】
埋立区域の上方部に設置した水平案内部材に沿って水平移動可能な水平移動コンベアによって、所望の埋立区域の上方部まで連続状態で移送した廃棄物を、前記水平案内部材の下段側に設置した水平案内部材に沿って水平移動可能で且つ、終端側の高さ位置を可変できる垂直移動コンベアの始端側に受け渡し、垂直移動コンベアの終端側から所望の埋立区域に廃棄物を投棄することを特徴とした廃棄物の埋立方法。
【請求項２】
前記所望の埋立区域の上方部までの移送は、隣接する各水平移動コンベアの終端側と始端側がオーバーラップする態様で、複数の水平移動コンベアを順次継ぎ足しながら行う請求項１に記載した廃棄物の埋立方法。
【請求項３】
前記廃棄物を投棄する高さ位置は、円弧状に湾曲形成した搬送路を有する垂直移動コンベアを回転駆動させ、終端側を上昇又は下降させて可変する請求項１又は２に記載した廃棄物の埋立方法。
【請求項４】
前記埋立区域を複数に分割し、１つの分割した埋立区域の埋立が完了した後に、隣接した埋立区域上の水平案内部材に前記水平移動コンベア及び垂直移動コンベアを盛替えて、順次埋立作業を行う請求項１〜３のいずれかに記載した廃棄物の埋立方法。
【発明の詳細な説明】
【０００１】
【発明の属する技術分野】
本発明は、集積した廃棄物を廃棄物処分場に均等に分散して埋立貯蔵する廃棄物の埋立方法に係り、特に埋立区域の内面に遮水工を施して遮水すると共に、埋立区域の上部を屋根で被覆したクローズド（密閉）型の廃棄物処分場における廃棄物の埋立方法に関する。
【０００２】
【従来の技術】
この種のクローズド（密閉）型の廃棄物処分場における廃棄物の埋立方法は、特に大規模の廃棄物処分場に適合する方式として、例えば、▲１▼小型ダンプトラック・小型ブルドーザ組合せ方式、▲２▼トラバーサ方式、▲３▼自走形コンベア方式、▲４▼テレスコ形クラムシェル方式、▲５▼天井走行形クラムシェル方式など、各種の提案がされている。
【０００３】
▲１▼小型ダンプトラック・小型ブルドーザ組合せ方式の場合には、埋立区域の片隅に設定した搬入場所に廃棄物を一旦集積した後に、ホイールローダなどで運搬車両（例えば、ダンプ車など）に積み込んで所定の埋立場所に移送して投棄し、転圧・均し車両（例えば、ブルドーザなど）で転圧・均し作業を行う。
【０００４】
▲２▼トラバーサ方式の場合には、埋立区域の上方部に走行レールを設置すると共に、走行レールに沿って水平移動可能な移動台車を装備させ、移動台車で懸吊したホッパー付きコンテナに廃棄物を積み込んで所定の埋立場所の上部に移動した後に、ホッパー付きコンテナで廃棄物を所定の埋立場所に投棄し、転圧・均し車両（例えば、ブルドーザなど）で転圧・均し作業を行う。
【０００５】
▲３▼自走形コンベア方式の場合には、埋立区域の片隅に設定した搬入場所に廃棄物を一旦集積した後に、搬入場所から所定の埋立場所に自走形コンベアを順次継ぎ足しながら設置し、自走形コンベアで廃棄物を所定の埋立場所に移送して投棄し、転圧・均し車両（例えば、ブルドーザなど）で転圧・均し作業を行う。
【０００６】
▲４▼テレスコ形クラムシェル方式の場合には、埋立区域の上方部に搬入用の床版を設置すると共に、床版上を走行する移動車両にテレスコ形クラムシェルを搭載し、テレスコ形クラムシェルを所定の埋立場所の上部に移動した後に、床版の開口部から懸吊したテレスコ形クラムシェルで廃棄物を所定の埋立場所に投棄し、転圧・均し作業はアタッチメントを装着して移動車両上から行う。
【０００７】
▲５▼天井走行形クラムシェル方式の場合には、埋立区域の上方部に天井走行クレーンを設置すると共に、天井走行クレーンからクラムシェルを懸吊させ、天井走行クレーンを所定の埋立場所の上部に移動した後に、クラムシェルで廃棄物を所定の埋立場所に投棄し、転圧・均し車両（例えば、ブルドーザなど）で転圧・均し作業を行う。
【０００８】
【発明が解決しようとする課題】
これら従来技術による廃棄物の埋立方法では、各方式毎に各種の利点と欠点を併せ持っているが、本件発明者らが特に改善が必要であると着目している点は次のとおりである。
【０００９】
まず、▲１▼小型ダンプトラック・小型ブルドーザ組合せ方式や▲３▼自走形コンベア方式の場合には、埋立区域の搬入場所に一旦集積した廃棄物を、積み替えて搬入場所から所定の埋立場所に再度移送する二度手間が係ること、搬入場所から所定の埋立場所に再度移送する通路を埋立区域内に確保する必要があるので、埋立量が多くなると作業が困難になったり、作業能率を低下させる恐れがある。
【００１０】
また、▲２▼トラバーサ方式や▲４▼テレスコ形クラムシェル方式及び▲５▼天井走行形クラムシェル方式の場合には、埋立区域の上方部に隣接配備した一時貯蔵ピット（廃棄物の一時的な貯蔵場所）と所定の埋立場所の上部の間で、移送手段（移動台車、移動車両、天井走行クレーン）を往復移動させながらピストン輸送を行うので、一度に処理できる廃棄物も少なくて作業能率を向上することが困難であると共に、同様の移送手段を複数設けると複雑な操作制御手段が必要になる。
【００１１】
本発明では、これらの従来技術における課題を解決し得る廃棄物の埋立方法の提供を主たる目的とし、特に埋立区域の上方部に設置した水平移動コンベア及び垂直移動コンベアによって、廃棄物をほぼ連続状態で能率良く移送させながら所定の埋立場所に投棄すると共に、埋立区域では転圧・均し車両（例えば、ブルドーザなど）で転圧・均し作業のみを行う。
【００１２】
【課題を解決するための手段】
本発明による廃棄物の埋立方法は、埋立区域の上方部に設置した水平案内部材に沿って水平移動可能な水平移動コンベアによって、所望の埋立区域の上方部まで連続状態で移送した廃棄物を、前記水平案内部材の下段側に設置した水平案内部材に沿って水平移動可能で且つ、終端側の高さ位置を可変できる垂直移動コンベアの始端側に受け渡し、垂直移動コンベアの終端側から所望の埋立区域に廃棄物を投棄する。
【００１３】
この埋立方法によると、従来技術におけるトラバーサ方式やテレスコ形クラムシェル方式及び天井走行形クラムシェル方式の場合のように、移送手段（移動台車、移動車両、天井走行クレーン）を往復移動させながらピストン輸送を行うものとは異なり、所望の埋立区域に対して廃棄物をほぼ連続状態で大量に移送することが可能であり、作業能率を向上することができる。
【００１４】
また、移送手段を往復移動させながらピストン輸送する場合のように、大きな載荷重に耐えられる走行通路を埋立区域の上方全域に設ける必要がないので、設備費を低減できると共に、複雑な操作制御手段を用いて移送手段の運行管理を行う必要がないので、管理費が低減でき而も安全作業が確保される。
【００１５】
また、転圧・均し方式や自走形コンベア方式の場合のように、埋立区域の搬入場所に一旦集積した廃棄物を、積み替えて搬入場所から所定の埋立場所に再度移送する二度手間がなく、埋立区域の上方から所定の埋立場所に直接に投棄して作業能率を向上でき、而も転圧・均し車両を自由に運行して埋立区域に対する転圧・均し作業を能率良く行うことができる。
【００１６】
前記埋立方法において、前記所望の埋立区域の上方部までの移送は、隣接する各水平移動コンベアの終端側と始端側がオーバーラップする態様で、複数の水平移動コンベアを順次継ぎ足しながら行う形態を採ることができる。
【００１７】
水平移動コンベアとして、一連にして搬送路の長さを可変する伸縮コンベアの使用も可能であるが、個別に水平移動が可能で比較的短尺な複数の水平移動コンベアを順次継ぎ足しながら使用すると、小回りが利いて設置作業が容易であると共に、設備費を安価にすることができる。
【００１８】
前記埋立方法において、前記廃棄物を投棄する高さ位置は、円弧状に湾曲形成した搬送路を有する垂直移動コンベアを回転駆動させ、終端側を上昇又は下降させて可変する形態を採ることができる。
【００１９】
この埋立方法によると、埋立した廃棄物量の増減に適合させて、垂直移動コンベアの容易に上昇又は下降させることができると共に、既に埋設した廃棄物の直上に終端側を位置させて粉塵の発生が少ない状態で投棄することができる。
【００２０】
前記埋立方法において、前記埋立区域を複数に分割し、１つの分割した埋立区域の埋立が完了した後に、隣接した埋立区域上の水平案内部材に前記水平移動コンベア及び垂直移動コンベアを盛替えて、順次埋立作業を行う形態を採ることができる。
【００２１】
この埋立方法では、複数の分割した埋立区域に対して、水平移動コンベア及び垂直移動コンベアを共用することで、設備費を軽減させることができる。
【００２２】
【発明の実施の形態】
以下に、本発明による廃棄物の埋立方法について、本発明を適用した好適な実施形態を示す添付図面に基づいて詳細に説明するが、図１は、廃棄物処分場１の全体構造を模式的に示す縦断面図であり、図２は、廃棄物処分場１の全体構造を模式的に示す横断面図である。
【００２３】
廃棄物処分場１は、地上に凹設した埋立区域２の底部３及び外周部４の内面に遮水シートや遮水壁などの遮水工を施して遮水すると共に、埋立区域２の上部側には屋根５を取付けてクローズド（密閉）型に形成され、地上には埋立区域２の上方部に隣接配備した一時貯蔵ピット６を設け、ダンプトラックなどの運搬車両７で外部から移送された廃棄物を集積して一時的に貯蔵する。
【００２４】
埋立区域２には、底部３から多数の支柱８を所定間隔毎に立設すると共に、各支柱８，８間を連結する態様でＸ方向に沿って、長尺な複数の水平案内部材９を平行状に設け、隣接する各水平案内部材９，９の間にはＹ方向に沿って、短尺な複数の水平案内部材２０，２１を設け、水平案内部材９によってＹ方向を３分割して各埋立区域２Ａ，２Ｂ，２Ｃに区分されている。
【００２５】
水平案内部材２０，２１には、隣接する各水平案内部材２１，２１の間に水平移動コンベア１２が設置されると共に、隣接する各水平案内部材２０，２０の間に垂直移動コンベア１３が設置され、水平移動コンベア１２及び垂直移動コンベア１３は、各水平案内部材２０，２１に案内支持されてＹ方向へ水平移動可能である。
【００２６】
また、各水平案内部材２０，２１の両端側は隣接する水平案内部材９上に架設され、各水平案内部材９，９に案内支持されてＸ方向へ水平移動可能であり、従って各水平案内部材２０，２０の間に設置した垂直移動コンベア１３及び、各水平案内部材２１，２１の間に設置した水平移動コンベア１２は、水平案内部材９が延在するＸ方向に沿って水平移動可能である。
【００２７】
図１及び図２の実施形態では、最上位にある１段目の水平案内部材９Ａ上に設置した複数の水平移動コンベア１２を継ぎ足しながら、２段目の水平案内部材９Ｂ上に設置した垂直移動コンベア１３Ａに連続させた後に、３段目の水平案内部材９Ｃ上に設置した垂直移動コンベア１３Ｂに連続させており、各段の水平案内部材９に平行して管理歩道１４が設置されている。
【００２８】
なお、水平移動コンベア１２と垂直移動コンベア１３及び、水平案内部材９を除く各水平案内部材２０，２１は、作業能率を向上するために各埋立区域２Ａ，２Ｂ，２Ｃ毎に設ける形態を採ることも可能であるが、設備費を軽減するために各埋立区域２Ａ，２Ｂ，２Ｃ毎に盛替えて使用することが望ましく、この盛替え作業はクレーン車両１０のブーム１１で懸吊して行われる。
【００２９】
また、埋立区域２の底部側には押しブルドーザなどの転圧・均し車両１５を配置し、埋立区域２の上部部側には水平移動コンベア１２の一端側に廃棄物を供給する水平スライドコンベア１６を配置し、バックホウなどの積込み機１７で一時貯蔵ピット６から取り出した廃棄物を、ホッパー１８を介して水平スライドコンベア１６上に移送させる。
【００３０】
図３は、水平移動コンベア１２の斜視図であり、水平移動コンベア１２は水平コンベア本体２１と前後に配置した各水平案内部材１９，１９とで構成され、水平コンベア本体２１の両端側の底部には回転可能に枢着したスライド脚部２０を設け、各水平案内部材１９に対してスライド脚部２０を摺動自在に係合させると共に、各水平案内部材１９の両端側の底部にも、同様のスライド脚部（図示を省略）を設け、スライド脚部を介して各水平案内部材９Ａ，９Ａに対して各水平案内部材１９を摺動自在に係合させている。
【００３１】
水平移動コンベア１２は、方形枠状に形成した長尺のフレーム内に無端状の搬送ベルトが収容され、モータを含む回転駆動手段によって搬送ベルトが走行する構成を有し、前後に配置した同様の構成による水平移動コンベア１２に対して、水平コンベア本体２１の端部をオーバーラップさせた状態で連続させることができると共に、水平案内部材９Ａ上で図４で示すような各種の動作を行うことができる。
【００３２】
例えば、図４（ａ）のように水平コンベア本体２１及び各水平案内部材１９の姿勢を一定状態に保持して、両者を水平案内部材９Ａ上でＸ方向に水平移動することができ、図４（ｂ）のように各水平案内部材１９の間隔を一定状態に保持して、水平コンベア本体２１を各水平案内部材１９上でＹ方向に水平移動することができ、図４（ｃ）のように水平コンベア本体２１を時計方向又は半時計方向に回転させ、各水平案内部材１９の間隔を伸縮することができる。
【００３３】
図５は、垂直移動コンベア１３の斜視図であり、垂直移動コンベア１３は、各水平案内部材９（９Ｂ，９Ｃ）に対して両端側を架設した前後の各水平案内部材２２（２２Ａ，２２Ｂ）と、方形枠状で両端側を各水平案内部材２２に架設した架台２３と、架台２３の後端側に装着した回転機構部２４と、回転機構部２４に装着された垂直コンベア本体２５で構成されている。
【００３４】
垂直移動コンベア１３は、各水平案内部材２２Ａ，２２Ｂと各水平案内部材９Ｂ，９Ｃの間及び、各水平案内部材２２Ａ，２２Ｂと架台２３の前後部の間を、水平移動コンベア１２の場合と同様にスライド脚部（図示を省略）を介して連結され、各水平案内部材２２Ａ，２２Ｂは各水平案内部材９Ｂ，９Ｃに沿ってＸ方向へ水平移動可能であると共に、架台２３は各水平案内部材２２Ａ，２２Ｂに沿ってＹ方向へ水平移動可能である。
【００３５】
なお、これらの各水平案内部材９，１９，２２は、図示の実施形態ではＨ形鋼でガーダー（梁部材）を形成し、このガーダーの上面側のフランジ部上に案内レールを設け、この案内レールに対して回転可能に支持されたスライド脚部が係合するように構成しているが、これらの構成に代えて同様に機能する公知の摺動案内手段を用いる形態を採ることも可能である。
【００３６】
回転機構部２４は、架台２３の後端側との間を複数の油圧ジャッキ２６で連結した基台２７に、モータと減速機及び回転ギヤなどで構成される回転駆動部を装着し、回転駆動部から回転力が伝達された回転操作軸２８が両側に突出され、回転操作軸２８にはくの字状に折り曲げ形成した方形枠状の回転支持フレーム２９の中間部が取り付けられている。
【００３７】
垂直コンベア本体２５は、方形枠状で円弧状に湾曲形成した長尺のコンベアフレーム３０内に無端状の搬送ベルト３１が収容され、モータを含む回転駆動手段によって搬送ベルト３１が走行すると共に、搬送ベルト３１上を仕切り板３２で区分させた構成を有し、コンベアフレーム３０の前端側と後端側とが回転機構部２４の回転支持フレーム２９の前端側と後端側に連結されている。
【００３８】
垂直移動コンベア１３は、図６（ａ）のように垂直コンベア本体２５の終端側を繰り出した下降位置と、図６（ｂ）のように架台２３側に引き上げた上昇位置との間を移動可能であり、移動する際には回転機構部２４の回転駆動部を操作して回転操作軸２８を回転させると、回転支持フレーム２９が回動して垂直移動コンベア１３を所望位置に移動することができる。
【００３９】
また、回転支持フレーム２９は、回転操作軸２８の上方に位置する垂直フレーム片２９ａと水平フレーム片２９ｂの間を、伸縮可能に連結させておき、図６（ａ）の状態で油圧ジャッキ２６を伸縮作動させると、垂直フレーム片２９ａと水平フレーム片２９ｂの間が伸縮し、水平フレーム片２９ｂに連結されている垂直コンベア本体２５を昇降させることができ、これによって廃棄物を受け渡しする水平移動コンベア１２と高さ位置を調整することができる。
【００４０】
図７は、水平移動コンベア１２と垂直移動コンベア１３の関係を示す斜視図であり、水平移動コンベア１２の終端側を垂直移動コンベア１３の始端側に重合させて廃棄物の受け渡しが行われるが、水平移動コンベア１２は１段目の水平案内部材９Ａに沿って、垂直移動コンベア１３は２段目の水平案内部材９Ｂに沿って、それぞれＸ方向に水平移動が可能であると共に、水平移動コンベア１２は水平案内部材１９に沿って、垂直移動コンベア１３は水平案内部材２２に沿って、それぞれＹ方向に水平移動が可能である。
【００４１】
次に、図８及び図９によって埋立作業の施工手順を説明すると、図８（ａ）のように、埋立区域２Ａのスライドコンベア１６側の端部に垂直移動コンベア１３を設置し、図８（ｂ）のように、廃棄物３３の埋立を行うと共に、スライドコンベア１６側とは反対側の端部には、水平移動コンベア１２用の水平案内部材１９を、クレーン車両１０のブーム１１で懸吊して設置する。
【００４２】
次に、図８（ｃ）のように、ブーム１１で懸吊した水平コンベア本体２１を、水平案内部材１９に組み付けて水平移動コンベア１２を組立て、図８（ｄ）のように、垂直移動コンベア１３を埋立を行った廃棄物３３の上方より前方へ移動させると共に、組立てた水平移動コンベア１２を埋立を行った廃棄物３３の上方に移動させ、垂直移動コンベア１３の後端側に先端側を連続させた状態で設置し、隣接した前方の埋立区域２Ａに埋立を行う。
【００４３】
このようにして、１個所の埋立を行う毎に垂直移動コンベア１３を前進させると共に、新たな水平コンベア本体２１を後方に継ぎ足す工程を繰り返しながら、図９（ａ）のように埋立区域２Ａに対して第１回目の埋立を完了させた後に、図９（ｂ）のように、ブーム１１で懸吊して垂直移動コンベア１３を埋立区域２Ａ上から取り外す。
【００４４】
埋立区域２Ａ上から取り外した垂直移動コンベア１３は、図９（ｃ）のように、隣接した埋立区域２Ｂのスライドコンベア１６側の端部に盛替えると共に、同様に埋立区域２Ａ上から取り外した水平移動コンベア１２は、図９（ｄ）のように、隣接した埋立区域２Ｂのスライドコンベア１６とは反対側の端部に盛替えて、埋立区域２Ｂに対して図８（ａ）〜図（ｄ）と同様の埋立を行い、埋立区域２Ｃに対しても同様である。
【００４５】
このようにして、埋立区域２の全域に対して第１回目の埋立が行われるが、その間に底部３側では押しブルドーザなどの転圧・均し車両１５によって、埋立した廃棄物３３に対する転圧・均し作業が適時行われると共に、第２回目以降の埋立作業も第１回目と同様の手順で行われるが、埋立した廃棄物３３の量（高さ）が増加した際には、垂直コンベア本体２５を架台２３側に引き上げて先端側の高さ位置を調整し、更に廃棄物３３の量が増加した際には３段目の垂直移動コンベア１３Ｂを撤去して、２段目の垂直移動コンベア１３Ａのみで作業を行う。
【００４６】
なお、図１の実施形態では２台の垂直移動コンベア１３Ａ，１３Ｂを上下に配置しているが、図１０で示すように、垂直コンベア本体２５を長めに形成した１台の垂直移動コンベア１３で埋立を行う実施形態を採ることも可能であり、この場合には、３段目の水平案内部材９Ｃ及び、これに並設した管理歩道１４を省略することができる。
【図面の簡単な説明】
【図１】本発明を適用した廃棄物処分場の全体構造を模式的に示す縦断面図である。
【図２】同じく廃棄物処分場の全体構造を模式的に示す横断面図である。
【図３】埋立に使用する水平移動コンベアを示す斜視図である。
【図４】図３の水平移動コンベアの動作説明図である。
【図５】埋立に使用する垂直移動コンベアを示す斜視図である。
【図６】図５の垂直移動コンベアの動作説明図である。
【図７】図３の水平移動コンベアと図５の垂直移動コンベアの関係を示す斜視図である。
【図８】埋立作業の施工手順を示す説明図である。
【図９】埋立作業の施工手順を示す説明図である。
【図１０】本発明を適用した他の実施形態による廃棄物処分場の全体構造を模式的に示す縦断面図である。
【符号の説明】
１　廃棄物処分場
２　埋立区域
３　（廃棄物処分場の）底部
４　（廃棄物処分場の）外周部
５　（廃棄物処分場の）屋根
６　（廃棄物の）一時貯蔵ピット
７　運搬車両（ダンプトラック）
８　支柱
９　水平案内部材（Ｘ方向の）
１０　クレーン車両
１１　（クレーン車両の）ブーム
１２　水平移動コンベア
１３　垂直移動コンベア
１４　管理歩道
１５　転圧・均し車両（押しブルドーザ）
１６　水平スライドコンベア
１７　積込み機（バックホウ）
１８　ホッパー
１９　水平案内部材（Ｙ方向の）
２０　スライド脚部
２１　水平コンベア本体
２２　水平案内部材（Ｙ方向の）
２３　架台
２４　回転機構部
２５　垂直コンベア本体
２６　油圧ジャッキ
２７　基台
２８　回転操作軸
２９　回転支持フレーム
３０　コンベアフレーム
３１　搬送ベルト
３２　仕切り板
３３　廃棄物
【図１】
2004066131.tif 000003
【図２】
2004066131.tif 000004
【図３】
2004066131.tif 000005
【図４】
2004066131.tif 000006
【図５】
2004066131.tif 000007
【図６】
2004066131.tif 000008
【図７】
2004066131.tif 000009
【図８】
2004066131.tif 000010
【図９】
2004066131.tif 000011
【図１０】
2004066131.tif 000012